Podtech/llm-jp-corpus-v4-ja_patent huggingface dataset:
(57)【要約】      （修正有）【課題】遺品、遺髪、遺骨を傷つけることなく、そのまま身飾品に封入し、他人の手に触れさせることなく自分で納入し手元供養ができるようにした天然石ふた式遺品遺骨入れ身飾品を提供する。【解決手段】身飾品本体１の一部に空洞２を設け、その中に遺品、遺髪、遺骨を入れ、シトリン、ブルートパーズ、スモーキークォーツや水晶など半透明天然石を加工して製作した天然石ふた３を空洞２にかぶせ接着して構成する。身飾品を指輪として使う時は、身飾品本体１が指輪本体となり、ペンダントとして使う場合は、身飾品本体１がペンダントトップとする。【選択図】図１
0003147903.tif 000002
【実用新案登録請求の範囲】
【請求項１】
天然石ふた式遺品遺骨入れ身飾品
身飾品本体の一部に空洞を作り、人やペットの遺品、遺髪、遺骨などを入れ、半透明天然石のふたを接着し、宝飾品として身につけ供養するもの。
【考案の詳細な説明】
【技術分野】
【０００１】    この考案は、遺品、遺髪、遺骨を傷つけることなく、そのまま身飾品に封入し、他人の手に触れさせることなく自分で納入し手元供養ができるようにした。また、透明度ある天然石のふたをかぶせ宝飾品としての美しさを増加させるよう工夫した。
【技術背景】
【０００２】  従来は、遺品、遺髪、遺骨を加工して身飾品にすることが多く、加工のため大切な遺品、遺髪、遺骨を制作者のもとへ郵送したり、持参したりしなければならなかった。
また、遺品、遺骨入れ身飾品は筒状など一定の形に限定された。
【考案の開示】
【考案が解決しようとする課題】
【０００３】  １．従来、遺品、遺髪、遺骨を加工業者のもとへ届け、砕いたり加熱したりしており、      取扱上に問題があった。
２．供養すべき遺品、遺髪、遺骨を収納し密閉するのに、見ず知らずの多くの他人の手      に触れさせていた。
３．遺品、遺髪、遺骨を収める身飾品は形状が限定され、いつも身につける宝飾品とし      ての美しさに問題があった。
【課題を解決するための手段】
【０００４】  １．身飾品の本体部分に空洞（カロート・納骨室）を設け、遺品、遺髪、遺骨をそのま      ま収納できるように工夫した。
２．身飾品製作者のもとへ遺品、遺髪、遺骨を送って封入作業を行うのではなく、自分      でふたをかぶせて密閉できるように工夫した。
３．身飾品として好まれる指輪、ペンダント、ブローチ、その他自由な形状の身飾品に      空洞を設け、天然石でふたをすることによって宝飾品としての美しさを保持増進で      きるようにした。
【考案の効果】
【０００５】    大切な遺品、遺髪、遺骨を傷つけず、自分の手元から一時も離すことなく、天然石を使った美しい身飾品に納め、身に着けて供養することができるようになった。
【考案を実施するための最良の形態】
【０００６】    いろいろな身飾品本体（１）の一部に空洞（２）を設け、それをシトリン、ブルートパーズ、スモーキークォーツ、水晶など半透明天然石（３）のふたで覆って自分で接着する。
次に実施例を示す。
（ア）身飾品として指輪を使う場合には、指輪本体（１）に空洞を設け、空洞（２）に遺品、遺髪、遺骨を入れ、加工した天然石（３）を台座に取り付け接着し、「天然石ふた式遺品遺骨入れ指輪」とする。
（イ）身飾品としてペンダントを使う場合には、ペンダントトップ本体（１）内に空洞を設け、空洞（２）に遺品、遺髪、遺骨を入れ、加工した天然石（３）を取り付け接着し、「天然石ふた式遺品遺骨入れペンダント」とする。
（ウ）身飾品としてブローチを使う場合には、レリーフブローチ本体（１）の一部に空洞（２）を作り、遺品、遺髪、遺骨を納め、加工した天然石（３）で覆って接着し、「天然石ふた式遺品遺骨入れブローチ」とする。
【図面の簡単な説明】
【０００７】  添付図面に従って説明する
【図１】  指輪台座に遺品、遺骨を封入する場合の面図である。
【図２】  ペンダントトップに遺品、遺骨を封入する場合の図面である。
【図３】  ブローチ本体の一部に遺品、遺骨を封入する場合の面図である。
【符号の説明】
【０００８】  １．身飾品の本体
２．本体の空洞
３．天然石ふた
【図１】
0003147903.tif 000003
【図２】
0003147903.tif 000004
【図３】
0003147903.tif 000005
【手続補正書】
【提出日】平成20年10月20日(2008.10.20)
【手続補正１】
【補正対象書類名】実用新案登録請求の範囲
【補正対象項目名】全文
【補正方法】変更
【補正の内容】
【実用新案登録請求の範囲】
【請求項１】
身飾品本体の一部に、人やペットの遺品、遺髪、遺骨等の供養物を収納する空洞を形成し、半透明天然石のふたによって前記空洞を閉塞して成る天然石ふた式遺品遺骨入れ身飾品
(57)【要約】      （修正有）【課題】財布に硬貨別に分ける収納箇所を設けることで買い物のときの便宜を図ることができる硬貨の種類別収納財布を提供する。【解決手段】財布本体に６種類の硬貨別収納箇所２、大きいお金から払ったお釣りを入れる箇所４、お買いもの券を入れる箇所を設け、お買い物のとき便利にしたものである。硬貨入れはチャックで、開け閉めするようにして、開く幅は約１０ｃｍぐらい、閉じた幅は約１．５ｃｍから２ｃｍぐらいが有効と思われる。【選択図】図１
0003147901.tif 000002
【実用新案登録請求の範囲】
【請求項１】
財布に１円玉から５００円玉まで６種類の硬貨を種類別に収納する箇所を設け硬貨の有効利用を計ろうとした財布。
【請求項２】
買い物した時、大きいお金から出したときのお釣り入れを別に設ける。
【請求項３】
お買いもの券（ＣＤ、洋服、食料品等の割引き券）を財布に入れる箇所を設け買い物のときすぐ使える。
【考案の詳細な説明】
【技術分野】
【０００１】  本考案は、６種類の硬貨を種類別に分けて収納する箇所と、お釣り入れの箇所と、お買物券入れの箇所を設けた財布です。
【背景技術】
【０００２】  買い物のとき、今までの財布だと硬貨が混ざって、硬貨の区別がつきにくかった。
【考案の開示】
【考案が解決しようとする課題】
【０００３】  買い物の時、細かい硬貨が見分けにくく、時間がかかってお札から出してしまう時がある。硬貨の有効利用を計りたい。お買い物券を無くし易い。
【課題を解決するための手段】
【０００４】  本考案は、６種類の硬貨を種類別に収納する箇所を設けることで見分けやすくする。また、お釣り入れの箇所を設け大きいお金からのお釣りはその箇所に入れ後で仕分ける。お買い物券入れは財布の側面に入れる箇所を設ける。
【考案の効果】
【０００５】  買い物の時、硬貨の有効利用ができる。お買い物券を無くさず有効利用できる。
【考案の実施するための最良の形態】
【０００６】買い物したとき、すばやく硬貨が出せる。最後の１円単位まで丁度硬貨がだせる。
【実施例】
【０００７】添付図面に従って、実施例を説明する。例として２ａに５００円玉、２ｂに５０円玉、２ｃに１円玉、２ｄに１００円玉、２ｅに５円玉、２ｆに１０円玉と収納箇所を決めておく。すると取りやすくなる。【０００８】お札からのお釣りは、４に入れ後で仕分ける。人間心理として硬貨が多くなりすぎたら硬貨もだしたがる。
【図面の簡単な説明】
【０００９】
【図１】硬貨の種類別収納箇所がチャック部で開いた上面図。
【図２】本財布の見取利図
【図３】本財布の展開図
【符号の説明】
【００１０】１財布本体
２硬貨の種類別収納箇所
３チャックの開閉部
４お釣りを入れる箇所
５チャック
６お札を入れる箇所
７買い物券（ＣＤ、，洋服、食料品等の割引き券）を入れる箇所
【図１】
0003147901.tif 000003
【図２】
0003147901.tif 000004
【図３】
0003147901.tif 000005
【手続補正書】
【提出日】平成20年10月21日(2008.10.21)
【手続補正１】
【補正対象書類名】実用新案登録請求の範囲
【補正対象項目名】全文
【補正方法】変更
【補正の内容】
【実用新案登録請求の範囲】
【請求項１】
財布に１円玉から５００円玉まで６種類の硬貨を種類別に収納する箇所を設け硬貨の有効利用を計ろうとした財布。
【請求項２】
買い物した時、大きいお金から出したときのお釣り入れを別に設けたところを特徴とする請求項１記載の財布。
【請求項３】
お買い物券（ＣＤ、洋服、食料品等の割引券）を財布に入れる箇所を設け買い物のときすぐ使えるようにしたところを特徴とする請求項１記載の財布。
(57)【要約】【課題】装飾性が付与された容器用蓋部材及びそれを備えた置物を提供する。【解決手段】集光性蛍光染料が含まれた透光性合成樹脂から構成され、少なくとも平面方向に延在する形状を有する蓋平面部を備えたことを特徴とする容器用蓋部材１０である。また、上方が開口され、透光性素材から構成された容器２０と、該容器２０の開口を塞ぐ容器用蓋部材１０と、上面に前記容器２０を載置し、載置された容器２０に光を照射可能な照明手段２４を有する台部材１８とを備えることを特徴とする置物である。【選択図】図２
0003147943.tif 000002
【実用新案登録請求の範囲】
【請求項１】
集光性蛍光染料が含まれた透光性合成樹脂から構成され、少なくとも平面方向に延在する形状を有する蓋平面部を備えたことを特徴とする容器用蓋部材。
【請求項２】
前記蓋平面部に照射された光の少なくとも一部を濃密化された状態で外縁近傍から放出可能に構成されていることを特徴とする請求項１記載の容器用蓋部材。
【請求項３】
上方が開口され、透光性素材から構成された容器と、
該容器の開口を塞ぐ請求項１又は２記載の容器用蓋部材と、
上面に前記容器を載置し、載置された容器に光を照射可能な照明手段を有する台部材とを備えることを特徴とする置物。
【考案の詳細な説明】
【技術分野】
【０００１】
本考案は、上方が開口され、透光性素材から構成された容器の開口を塞ぐことが可能な容器用蓋部材及びその容器用蓋部材を備えた置物に関する。
【背景技術】
【０００２】
従来から、デカンタやグラスなど上方が開口され、透光性素材から構成された容器があり、これら容器の開口を塞ぐために容器用蓋部材が用いられている。
【考案の開示】
【考案が解決しようとする課題】
【０００３】
しかしながら、従来の容器用蓋部材は、容器の開口を塞ぐだけで、装飾性が少なく、利用者を満足させるものではない。そこで、本考案は、装飾性が付与された容器用蓋部材及びそれを備えた置物を提供することを目的とする。
【課題を解決するための手段】
【０００４】
以上の目的を達成するため、本考案は、集光性蛍光染料が含まれた透光性合成樹脂から構成され、少なくとも平面方向に延在する形状を有する蓋平面部を備えたことを特徴とする容器用蓋部材であり、前記蓋平面部に照射された光の少なくとも一部を濃密化された状態で外縁近傍から放出可能に構成されていることが好ましい。また、本考案は、上方が開口され、透光性素材から構成された容器と、該容器の開口を塞ぐ請求項１記載の容器用蓋部材と、上面に前記容器を載置し、載置された容器に光を照射可能な照明手段を有する台部材とを備えることを特徴とする置物である。
【０００５】
以上のように、本考案に係る容器用蓋部材は、光が照射されると、表面で集光されて蛍光に変えられ、その蛍光は、長波長で再放出され、全反射しながら蓋部材の平坦な外縁に誘導され、濃密化された状態でその平坦な外縁から放出される。
【考案の効果】
【０００６】
以上のように、本考案によれば、装飾性が付与された容器用蓋部材及びそれを備えた置物を提供することができる。
【考案を実施するための最良の形態】
【０００７】
次に、本考案に係る容器用蓋部材の第１実施例について図面に基づいて説明する。図１は、第１実施例に係る容器用蓋部材を備えた置物の斜視図であり、図２は、その正面断面図である。
【０００８】
第１実施例に係る蓋部材１０は、下方に向けて開口された浅底な凹部１２を有し、平面方向に延在する円盤状に形成されている。その蓋部材１０の周縁１４は、Ｒ状に形成されているが、その周縁１４の下面１６は、平らに形成されている。また、この蓋部材１０は、透明性のプラスチック、例えばポリメチルメタアクリル、ポリカーボネート又はポリスチレンなどから構成されており、その透明性のプラスチックには集光性蛍光染料が添加されている。
【０００９】
このような第１実施例に係る蓋部材１０は、図１及び２に示すように台部材１８の上に載置された透明性のグラス２０の開口２０Ａを塞ぐようにその上に置かれることによって、置物として利用することができる。この台部材１８の上面の中央には、開口２２が形成されており、この開口２２の底面の中央には、発光ダイオード２４が設けられており、また開口の内周面には、反射鏡が施されている。
【００１０】
台部材１８の発光ダイオード２４を点灯させると、その発光ダイオード２４からの光及び反射鏡に反射した光が、グラス２０を通って、第１実施例に係る蓋部材１０に照射される。光が照射されると、表面で集光されて蛍光に変えられ、その蛍光は、長波長で再放出され、全反射しながら蓋部材１０の周縁１４の下面１６に誘導され、濃密化された状態でその下面１６から放出される。このように蓋部材１０の周縁１４の下面１６が濃密化された状態で光るので、装飾性を向上させることができる。
【００１１】
次に、本考案に係る容器用蓋部材の第２実施例について図面に基づいて説明する。図３は、第２実施例に係る容器用蓋部材を備えた置物の正面断面図である。第２実施例に係る蓋部材３０は、平面円状に形成された蓋平面部３２と、円筒状に形成され、前記蓋平面部３２の底面より下方に突出する突出部３４と、を備えている。蓋平面部材３２及び突出部３４は、いずれも透明性のプラスチック、例えばポリメチルメタアクリル、ポリカーボネート又はポリスチレンなどから構成されており、蓋平面部３２を構成する透明性のプラスチックには集光性蛍光染料が添加されているが、突出部３４を構成する透明性のプラスチックには集光性蛍光染料が添加されていない。
【００１２】
第２実施例に係る蓋部材３０は、図３に示すように透明のガラスから構成されたデカンタ３６の開口に装着され、そのデカンタ３６は、台部材３８の上面に載置される。台部材３８からの光が、デカンタ３６及び蓋部材３０の突出部３４を通って、蓋部材３０の蓋平面部３２に照射されると、表面で集光されて蛍光に変えられ、その蛍光は、長波長で再放出され、全反射しながら蓋平面部３２の外周面３２Ａに誘導され、濃密化された状態でその外周面３２Ａから放出される。このように蓋部材３０の蓋平面部３２の外周面３２Ａが濃密化された状態で光るので、装飾性を向上させることができる。
【図面の簡単な説明】
【００１３】
【図１】本考案に係る容器用蓋部材の第１実施例を備えた置物の斜視図である、
【図２】第１実施例に係る容器用蓋部材を備えた置物の正面断面図である。
【図３】本考案に係る容器用蓋部材の第２実施例を備えた置物の正面断面図である。
【符号の説明】
【００１４】
１０、２０  蓋部材
２０、３６  容器（グラス、デカンタ）
１８、３８  台部材
２４        照明手段（発光ダイオード）
【図１】
0003147943.tif 000003
【図２】
0003147943.tif 000004
【図３】
0003147943.tif 000005
(57)【要約】【課題】  水引を取り外すことなく、紙幣の出し入れを容易にし、美観も優れた金封用袋体を提供する。【解決手段】  １枚の紙シートを折り畳んで３つの紙部が重なり合った袋体であって、３つの紙部が表紙１と中紙２との間に裏紙３が連設されたものであり、中紙２の上端に蓋片４が連設され、裏紙３の下端に底片５が連設され、折り畳まれた中紙２と裏紙３とにおいて中紙２上面に底片５を折り返し接合して紙幣を収納できるようにし、中紙２と底片５の上面に表紙１をかぶせて接合し、裏紙３の裏面に蓋片４を折り返しシール８等にて密封してなるように構成する。【選択図】  図５
0003147941.tif 000002
【実用新案登録請求の範囲】
【請求項１】
１枚の紙シートを折り畳んで３つの紙部が重なり合った袋体であって、３つの紙部が表紙と中紙との間に裏紙が連設されたものであり、中紙の上端に蓋片が連設され、裏紙の下端に底片が連設され、折り畳まれた中紙と裏紙とにおいて中紙上面に底片を折り返し接合して紙幣を収納できるようにし、中紙と底片の上面に表紙をかぶせて接合し、裏紙の裏面に蓋片を折り返し密封してなることを特徴とする金封用袋体。
【請求項２】
中紙の表面の縦方向の内端部に飾り部が印刷された請求項１記載の金封用袋体。
【請求項３】
裏紙の裏面に蓋片を折り返しシールにて密封するようにした請求項１又は２記載の金封用袋体。
【考案の詳細な説明】
【技術分野】
【０００１】
本考案は、慶弔時等に用いられる金封用袋体に関するものである。
【背景技術】
【０００２】
従来、熨斗袋として紙シートを折り畳んで複数の紙片が重なり合った袋状本体とし、袋状本体の胴部に水引を巻き付けてなる熨斗袋において、本体の重なり合った二枚の紙片の下端部を貼り合わせて紙幣収納部とし、紙幣収納部の上端部には紙幣挿入用の隙間を設けるとともに、隙間を封緘することのできる封緘手段を設けたものが知られている（例えば、特許文献１参照）。
【特許文献１】特開平１１−２０８７２５号公報（第２頁、図２）
【考案の開示】
【考案が解決しようとする課題】
【０００３】
しかし、上記の従来の熨斗袋は、中紙片の下端に底片を連設する構成であるので、袋体を形成した時に、袋体の裏面に底片が現われて、美観の点で好ましくないという問題がある。
【０００４】
本考案は、上記の点に鑑みなされたもので、解決しようとする問題点は、折り返した底片が袋体の裏面に現われて、美観を損なうという点である。
【課題を解決するための手段】
【０００５】
本考案は、裏紙の下端に底片が連設されるようにして、袋体を形成した時に、折り返された底片が表紙で被覆されて、底片が見えなくなるようにしたことを最も主要な特徴とする。
【０００６】
本考案の金封用袋体は、１枚の紙シートを折り畳んで３つの紙部が重なり合った袋体であって、３つの紙部が表紙と中紙との間に裏紙が連設されたものであり、中紙の上端に蓋片が連設され、裏紙の下端に底片が連設され、折り畳まれた中紙と裏紙とにおいて中紙上面に底片を折り返し接合して紙幣を収納できるようにし、中紙と底片の上面に表紙をかぶせて接合し、裏紙の裏面に蓋片を折り返し密封してなることを特徴としている。
【０００７】
この金封用袋体において、中紙の表面の縦方向の内端部に飾り部が印刷された構成とすることが好ましい。また、裏紙の裏面に蓋片を折り返しシールにて密封するようにした構成とすることが好ましい。
【考案の効果】
【０００８】
本考案は上記のように構成されているので、つぎのような効果を奏する。
（１）袋体を形成した時に、折り返された底片が表紙で被覆されて見えなくなるので、美観が良くなる。
（２）水引を取り外すことなく、容易に紙幣の出し入れをすることができる。
（３）従来の一般的な金封と比較して、紙の面積が約３０％少なくなり、資源の節約となる。                                                                            
【考案を実施するための最良の形態】
【０００９】
紙幣の出し入れが容易で、美観に優れた金封用袋体を提供するという目的を、中紙の上端に蓋片を連設し、裏紙の下端に底片を連設する構成とすることにより実現した。
【００１０】
以下、本考案の実施の形態について説明するが、本考案は下記の実施の形態に何ら限定されるものではなく、適宜変更して実施することができるものである。図１は本考案の金封用袋体の正面を示し、図２は同背面（裏面）を示し、図３は折り畳む途中の状態を示し、図４は袋体を展開した状態の裏面を示し、図５は同表面を示している。
【００１１】
図１〜図５において、金封用袋体は、１枚の紙シートを折り畳んで３つの紙部１、２、３が重なり合った袋体である。すなわち、３つの紙部が表紙１と中紙２との間に裏紙３が連設されたものであり、中紙２の表面の縦方向の内端部に飾り部７が印刷され、中紙２の上端に蓋片４が連設され、裏紙３の下端に底片５が連設され、折り畳まれた中紙２と裏紙３とにおいて中紙２上面に底片５を折り返し接合して紙幣を収納できるようにし、中紙２と底片５の上面に表紙１をかぶせて接合し、裏紙３の裏面に蓋片４を折り返しシール８等にて密封してなるように構成されている。６は切り欠きである。
【００１２】
上記のように構成された金封用袋体において、図４、図５に示す表紙１、中紙２、裏紙３からなる１枚の紙シートを、図３に示すように、裏紙３の上に中紙２が被さるように折り畳み、底片５を中紙２上に折り返し糊等の接着剤で接合・固定する。
【００１３】
ついで、中紙２上に重ねるように表紙１を折り畳み糊等の接着剤で接合・固定する。蓋片４は裏紙３の裏側に折り返す。このようにして袋状のものが形成される。
【００１４】
ついで、袋状のものに目的に合わせた水引を掛け、金封として使用する。具体的には、蓋片４を上向きにして紙幣を入れ、図１、図２に示すように、蓋片４を裏紙３に折り返してシール８等を用いて密封する。
【図面の簡単な説明】
【００１５】
【図１】本考案の実施の第１形態による金封用袋体の正面図である。
【図２】同背面（裏面）図である。
【図３】折り畳む途中の状態を示す説明図である。
【図４】袋体を展開した状態の裏面を示す図である。
【図５】同表面を示す図である。
【符号の説明】
【００１６】
１  表紙
２  中紙
３  裏紙
４  蓋片
５  底片
６  切り欠き
７  飾り部
８  シール
【図１】
0003147941.tif 000003
【図２】
0003147941.tif 000004
【図３】
0003147941.tif 000005
【図４】
0003147941.tif 000006
【図５】
0003147941.tif 000007
(57)【要約】      （修正有）【課題】自動車の各灯火の点灯状況について、点灯の状況を運転席で見られ、確認できるように表示する表示装置を提供する。【解決手段】運転席から見やすいところの、運転席前面のワーキング灯の枠の中や、同所の近くに灯火関係の必要な配線をして、ブレーキ灯や前照灯、車幅灯、尾灯、後退灯等の、各灯火の個別の左右の灯火の点灯あるいは不点灯がわかる点灯式の表示装置を装備することで、運転中にブレーキペダルを踏む度に、運転席でブレーキ灯の左右別や同所の点灯や不点灯の状況が確認できるほか、同じく前照灯や車幅灯等の各個別場所の左右や同所の片方の点灯、不点灯の状況が運転席で確認できるようにすることによって、これらの個別の場所について、灯火が不点灯のままに運転することを防止することができる。【選択図】図１
0003147929.tif 000002
【実用新案登録請求の範囲】
【請求項１】
自動車の運転席の前面の速度等を表示するワーキング表示枠内、あるいは、ワーキング表示枠の近くの運転者が見やすい箇所に、自動車のブレーキ灯等の点灯状況を表示する確認灯を表示するもので、運転者が始業点検の際、あるいは、信号停車等でブレーキをかけたときに、ブレーキ灯の点灯状況を運転席に居ながら確認できるようにした表示灯の装置、および、ブレーキ灯のほか、必要に応じて自動車の各灯火の点灯状況を運転席から見やすい前面に表示し、運転席に居て自動車の各灯火の点灯状況を確認できる表示灯装置。
【考案の詳細な説明】
【技術分野】
【０００１】  本考案は、自動車の各灯火の点灯状況を、運転席で確認する装置に関するものである。
【背景技術】
【０００２】  自動車の各灯火の点灯状況について、自動車の各灯火の配線を工夫し、各灯火の点灯の状況を運転席で見られ、確認できるように表示するようにしたものである。
【考案の開示】
自動車のブレーキ灯等の点灯状況の点検は、自動車を運転開始する事前に始業点検を行うよう義務づけられているが、実際には運転者が一人で行う自動車の各灯火の点灯状況の確認について、特にブレーキ灯の点灯状況の確認は、ブレーキペダルを踏んでいる間だけ点灯するので、運転席を離れて後方から確認するのは困難であるのが現状である。
よって、本考案は、運転席に座ったままでブレーキ灯等の点灯を確認できるようにするものである。
【考案が解決しようとする課題】
【０００３】  自動車の各灯火は、各灯火の目的の場所に各灯火の目的と効果をにしたがって、それぞれ点灯させるものであるが、実際には、いわゆる電球の球切れや電球と配線の接続部分の接触不良等によって、不点灯となるが、この不点灯の原因がいつ発生するのか、予測が困難な状況である。
【課題を解決するための手段】
【０００４】  自動車の各灯火の各別に、点灯状況を表示する配線を行い、その点灯や不点灯の状況を運転席の表示装置に表示することで、各灯火の不灯火を発見することとした。
【考案の効果】
【０００５】  各灯火の点灯状況が、運転席の前面に表示できるようにすれば、不点灯の場所が早く発見できて、接続点検や球切れ電球の取り替え等の措置が早急に行われ、特にブレーキ灯の不点灯の早期発見と早期回復の措置は追突事故の防止に効果は大である。
【考案を実施するための最良の形態】
【０００６】  自動車の通常のワーキングランプの枠には、速度メーター、走行距離計、エンジンの温度計、燃料計等が灯火および文字盤に指針方式で表示されているが、これらの他、前照灯の上げ下げ灯、方向指示灯、駐車灯の点灯、サイトブレーキ灯、シートベルト灯、バッテリー灯、オイル灯等が灯火で表示されるようになっている。
一方、運転席からは点灯状況がわからず、車外に出て点灯状況を確認しなければならない灯火として、ブレーキ灯、車幅灯、前照灯の上下切り替え時の点灯、方向指示灯等がある。これらの不点灯を早期に発見し、電球の取り替えを早期にしなければならない状況である。
よって、これらの車外に出て点灯を確認する方法を、運転席からできるように運転席の前方に各灯火の点灯状況を表示する装置を設備するのが最良の形態である。
【実施例】
【０００７】  従来の自動車のバッテリーから各別への灯火の電気配線は、直流方式でバッテリーのプラス側から各別の灯火へ作動するスイッチ部分へ、次に各別の灯火の電球へ通電して各別の灯火に点灯。次にマイナス側の自動車の車体であるシヤーシへ、車体のシヤーシからバッテリのマイナス側へ接続となっている。
本考案は、この従来の灯火の配線方法を変更して、前記の各別の灯火の電球へ通電して各別の灯火に点灯になっている箇所の、次の配線である車体シヤーシへのマイナス側の配線を、本考案の点灯表示装置に接続し、次に車体のシャーシにつないで、バッテリーのマイナス極へ配線する。この配線方法をすれば、各配線間の各灯火のうち、特定の電球、例えばブレーキ灯に球切れ等があれば、そこから先の電流が流れないので本考案のブレーキ項目の点灯表示装置に点灯の表示灯が点灯しない。よって、ブレーキ灯が球切れ等で点灯していないことが運転席で判明する。
この場合、運転席のワーキングランプ枠の中および同枠の外における本案表示灯のデザインや構成、および、各所の電圧、アンペア数等は、本案実行者の任意とする。
【図面の簡単な説明】
【０００８】
【図１】  バッテリーからの配線の一例で、電球の球切れ等がなく、点灯通電していれば、表示灯が点灯する。  特定の箇所の電球に球切れ等で不点灯があれば、通電しないので、当該特定箇所の表示灯の電球が点灯しない。このことから、電球の球切れ等で点灯しない特定の箇所が判明する。
【図２】  運転席のワーキングランプ枠の外に本考案の表示灯を設備設定する場合の事例であるが、例えば、ブレーキペダルを踏めばフレーキライニングがはたらいてブレーキがかかると同時に、後部のブレーキランプが点灯し電流は本案の表示灯へ流れて、当該項目のブレーキ灯が左右の別ごとに点灯して、車体後部のブレーキ灯が正常に点灯していることが本案の表示灯に示される。次に電流はバッテリーのマイナス側へ流れて正常な電流の回路は終了する。  この電気回路の途中の、車体後部のブレーキ灯が球切れや接続不良で点灯しなかった場合は、そこから先の電流が流れないので、次の電気回線の本案のブレーキ灯の表示灯が点灯しないことから、運転席に居て、車体後部のブレーキ灯が点灯していないことが判明する。ここで、通常の車体後部のブレーキ灯は車体左右に計２個装備されていることから、本案の当該箇所の灯火の点灯、不点灯の表示は、これら左右の各別に表示できるようにした。  なお、本案の実行にあたって、表示の形状、大きさ、表示の場所、表示の箇所別の数や名称、および、各所別の電圧、アンペア数等は、本案実行者の任意とする。
【符号の説明】
【０００９】１、符号については、図１および、図２に直接文字で表示しているので、本項目の記載は省略いたします。
【図１】
0003147929.tif 000003
【図２】
0003147929.tif 000004
(57)【要約】      （修正有）【課題】保護ブッシングにケーブルを通線した際、ケーブルを支持固定する事が出来る保護ブッシングを提供する。【解決手段】ケーブル引き出し用保護ブッシングは制御盤や分岐ボックス等から電線を引き出す為のブッシングであり雄ねじを有する通線部１と雌ねじを有するブッシング２で構成されており、雄ねじ側のねじを有する部分にケーブル支持用の開口部３を複数箇所設けその雄ねじと雌ねじで盤等をはさみ込みケーブル通線後に結束材６を開口部３より他の開口部３へ通し開口していない雄ねじの部分を利用してケーブル５を支持出来る事を特徴とする。【選択図】図１
0003147923.tif 000002
【実用新案登録請求の範囲】
【請求項１】
ケーブル引き出し用保護ブッシングは制御盤や分岐ボックス等から電線を引き出す為のブッシングであり雄ねじを有する通線部と雌ねじを有するブッシングで構成されており、雄ねじ側のねじを有する部分にケーブル支持用の開口部を複数箇所設けその雄ねじと雌ねじで盤等をはさみ込みケーブル通線後に結束材を開口部より他の開口部へ通し開口していない雄ねじの部分を利用してケーブルを支持出来る事を特徴とするケーブル支持用開口付きケーブル引き出し用保護ブッシング。
【考案の詳細な説明】
【技術分野】
【０００１】ケーブルを配電盤等から引き出す場合に、盤の箱体の金属部分や合成樹脂材部分を貫通する時のケーブル保護の為、雄ねじを有する側を盤内部より取り付け盤外部より雌ねじを有するブッシングで固定して使用する。ケーブル引き出し用保護ブッシングにケーブル支持用結束材を取り付ける開口部を複数箇所設け、通線したケーブルを固定する保護ブッシングである。
【背景技術】
【０００２】従来は保護ブッシングにケーブルを通線した際、ケーブルを支持固定する事が出来なかった。
【考案の開示】
【考案が解決しようとする課題】
【０００３】従来は通線後のケーブルを固定する事が出来なかった為、配電盤や制御盤等の下部からケーブルを引き出す際、ケーブル自重やつまづき・引っ掛けによるケーブルの引っ張り荷重で端子台や配線遮断器の端子台部分に力が加わり、端子ビスの破損や損傷による加熱等の事故が発生した。
【課題を解決する為の手段】
【０００４】従来は盤内にビニールテープ等でこぶ状のケーブル径を増大させる部分を作り、下方への引っ張り荷重を防いだり、整線のルートを変えてケーブルを結束していた。本考案は保護ブッシングの雄ねじ側のねじを有する通線部分にケーブル支持材取り付け用開口を複数箇所設け通線後のケーブルの支持を可能とさせるブッシングである。
【考案の効果】
【０００５】一般に電気工事で使用されているケーブルは多種多様ではあるが、０．５キログラム／ｍから６．０キログラム／ｍの重量がありその重量の何％かは配電盤内の共に結束された他の電線や端子ビスに加わる。
従来は支持材がなかったので端子ビスの破損や損傷による事故が発生していた。本考案は保護ブッシングにケーブルを支持することが出来るので上記の損傷や事故を防げる。
【実施例】
【０００６】本考案の保護ブッシングは［図１］の▲１▼の雄ねじを有する側の雄ねじを有する通線部分に▲３▼のケーブル支持用の複数箇所の開口を設け結束材を▲３▼の開口部から他の開口部に通し▲４▼の様にケーブルを支持固定する。
【図面の簡単な説明】
【０００７】
【図１】姿図
【符号の説明】
【０００８】▲１▼雄ねじを有する側
▲２▼雌ねじを有する側
▲３▼ケーブル支持用開口
▲４▼ケーブル支持の方法図
▲５▼ケーブル
▲６▼ケーブル結束材
【図１】
0003147923.tif 000003
(57)【要約】      （修正有）【課題】蜜蜂の繁殖が進み、巣箱内の蜂数が増え、貯蜜も１個の巣箱に収まりきれなくなると、別の巣箱（継箱）をその上に継ぎ足さなければならないが、その際に上下の巣箱同士がずれることなく、また製作も簡略化した蜜蜂用巣箱を提供する。【解決手段】蜜蜂巣箱の左面および右面の板１の前後の縁が前面および後面の板２より外にはみ出すように組立て、そのはみ出した左右の板の間に、前後の板の上辺より上に突き出るように、前後の板と同じ幅の板３を取り付けたことを特徴とする蜜蜂巣箱である。【選択図】図１
0003147924.tif 000002
【実用新案登録請求の範囲】
【請求項１】
蜜蜂巣箱の左面および右面の板（１）の前後の縁が前面および後面の板（２）より外にはみ出すように組立て、そのはみ出した左右の板の間に、前後の板の上辺より上に突き出るように、前後の板と同じ幅の板（３）を取り付けた蜜蜂巣箱。
【考案の詳細な説明】
【技術分野】
【０００１】  本考案は蜜蜂用巣箱に関わる。
【背景技術】
【０００２】  蜜蜂の繁殖が進み、巣箱内の蜂数が増え、貯蜜も１個の巣箱に収まりきれなくなると、別の巣箱（継箱）をその上に継ぎ足さなければならない。その際、上下の巣箱同士はずれないようにしなければならない。【０００３】  その目的を達成するために、従来の西洋蜜蜂の巣箱では、上になるほうの巣箱、すなわち継箱には、その下縁に、スカートを履かせたように、４面に板を取り付けてある。
【考案の開示】
【考案が解決しようとする課題】
【０００４】  スカートは下の巣箱のサイズより大きくして、容易に脱着できるようにしなければならないが、そのわずかの大きさを確保するための製作に手間がかかる。【０００５】  この４面の板が省略できたら、その分、制作に手間と材料が少なくて済む。【０００６】  さらに、その継箱は底板を着けたら元箱としても使えることになり、継箱と元箱が共通の巣箱になり、共用できることになる。【０００７】  ところが、従来の巣箱には底板が釘で固定されていて、底板が脱着できず、中の掃除ができない。
【課題を解決するための手段】
【０００８】  本考案は、そのスカートの板４枚を使わないで、上下の巣箱がずれない方策を講じたものである。【０００９】  両側面の板（１）（１’）を前後に少し長くし、前面と後面の板（２）（２’）に（２）と同じ幅の板（３）（３’）を、少し上に出るように張り付ける。
【考案の効果】
【００１０】  巣箱の製作が簡略化できる。【００１１】  本考案の巣箱では、脱着式底板、図５も実現できる。同じ原理で、横方向にずれることはない。【００１２】  蓋も同じ原理で、左右前後にずれない。【００１３】  さらに、日本蜜蜂も、本考案の重箱式で飼うことができる。【００１４】  採蜜に際して、上下の巣箱の間に刃物を入れて切り離すことができるからである。
【考案を実施するための最良の形態】
【００１５】  本考案の図面では、従来の西洋蜜蜂の巣箱より材料の板の厚さが大きく、平面図の内寸は正方形にしているが、これは日本蜜蜂の巣箱を想定しているからである。【００１６】  ニホンミツバチは採蜜に際して、重ねた巣箱の最上段を切り離して採蜜するのであるが、本考案でもそれは可能である。【００１７】  もちろん、この巣箱を長方形にして西洋蜜蜂用巣箱として用いても問題はない。
【図面の簡単な説明】
【００１８】
【図１】  本考案の正面図
【図２】  本考案の正面図Ａ−Ａの断面図
【図３】  本考案の側面図
【図４】  本考案の平面図
【図５】  本考案の底板を成す基台の斜視図
【図６】  本考案の蓋の斜視図
【符号の説明】
１    側面板
２    前後面板
３    ずれ防止板
【図１】
0003147924.tif 000003
【図２】
0003147924.tif 000004
【図３】
0003147924.tif 000005
【図４】
0003147924.tif 000006
【図５】
0003147924.tif 000007
【図６】
0003147924.tif 000008
(57)【要約】【課題】蛍光剤を残留させないという環境保護のニーズを達成し、公知の洗濯ボールでは洗濯機に衝撃を与え易くその寿命を短縮してしまっていた問題を改善することができる洗濯ボールの構造の提供。【解決手段】液体中において運用し、カバー部材１０、内容物２０を備え、カバー部材１０は、緊密な閉鎖状の開口１２を設置し、開口１２外部は、ベルト３０により縛り、内容物２０は、カバー部材１０内部に設置し、カバー部材１０中に浸透する液体と接触する。【選択図】図２
0003147925.tif 000002
【実用新案登録請求の範囲】
【請求項１】
液体中において運用し、カバー部材、内容物を備え、
前記カバー部材は、緊密な閉鎖状の開口を設置し、前記開口の外部は、ベルトにより縛り、
前記内容物は、前記カバー部材の内部に設置し、前記カバー部材中に浸透する液体と接触することを特徴とする洗濯ボールの構造。
【請求項２】
請求項１記載の洗濯ボールの構造において、前記カバー部材は布材で、前記布材には孔をびっしりと形成することを特徴とする洗濯ボールの構造。
【請求項３】
請求項１記載の洗濯ボールの構造において、前記内容物は備長炭、セラミックボール、ゲルマニウムを含む固体物より選択することを特徴とする洗濯ボールの構造。
【考案の詳細な説明】
【技術分野】
【０００１】
本考案は洗濯ボールの構造に関し、特に洗濯機の中に入れることで、洗濯において、蛍光剤を含む洗剤を加える必要がなく、洗濯機に対して衝突による損壊を引き起こす恐れのない洗濯ボールの構造に関する。
【背景技術】
【０００２】
一般的な衣服の洗濯は、洗濯機中に水と洗剤を入れ、洗濯機内の水流の撹拌動を利用し、衣服の反覆、揉み洗いを達成するものである。
この後、洗濯機の排水と脱水を経て、衣服を清潔にし、干すことができる。
【０００３】
上記の衣服の洗浄過程において、より良い洗浄効果を得るため、洗濯機内に入れることができる洗濯ボールは開発された。
該洗濯ボールは水中で衣服に接触し、ぶつかり、衣服の汚れはより容易に、水と洗剤により分解され、落とされる。
該洗濯ボールの構造は、硬度を備え、しかも相互に結合し、ネジにより固定される２個の部品により形成される殻体である。
該殻体の表面には、水が流動し易いよう、孔をびっしりと形成する。
【０００４】
しかし、該洗濯ボールの構造は、殻体が衣服の洗浄時に洗濯機に衝突し、洗濯機の使用寿命を縮減してしまうため、市場における使用後の反応は芳しくない。
また蛍光剤成分を含む洗剤を合わせて使用しなければならないため、環境汚染の恐れがある。
本考案は、従来の洗濯ボールの経済的パフォーマンスと環境保護における懸念に鑑みてなされたものである。
【考案の開示】
【考案が解決しようとする課題】
【０００５】
本考案の主な目的は、洗剤の使用が不要であるため、蛍光剤を残留させないという環境保護のニーズを達成することができる洗濯ボールの構造を提供することである。
【０００６】
本考案のもう一つの目的は、天然のマイナスイオンと遠赤外線を放出し、これにより汚れ、水分子を分解することで、それらを細かくし、衣服に浸透しし易くするため、公知の洗濯ボールでは洗濯機に衝撃を与え易くその寿命を短縮してしまっていた問題を改善することができる洗濯ボールの構造を提供することである。
【課題を解決するための手段】
【０００７】
本考案は洗濯ボールの構造を提供する。
洗濯ボールの構造は液体中において運用し、カバー部材、内容物を備え、該カバー部材は、緊密な閉鎖状の開口を設置し、該開口外部は、ベルトにより縛る。
該内容物は、該カバー部材内部に設置し、該カバー部材中に浸透する液体と接触する。
該内容物はセラミックボール、磁石等で、マイナスイオン、遠赤外線を液体中に放出することができる。
【考案の効果】
【０００８】
洗濯ボールは蛍光剤を残留させないという環境保護のニーズを達成することができ、公知の洗濯ボールでは洗濯機に衝撃を与え易くその寿命を短縮してしまっていた問題を改善することができる。
【考案を実施するための最良の形態】
【０００９】
図１、図２に示すように、本考案の一実施形態による洗濯ボールはカバー部材１０、内容物２０を備える。
カバー部材１０は少なくとも液体（図示なし）中において運用し、緊密な閉鎖状の開口１２を設置する。
本実施形態において、カバー部材１０は布材であるが、これに限定するものではない。
カバー部材１０には孔１４をびっしりと形成する。
カバー部材１０の開口１２外部は、ベルト３０により縛る。
内容物２０は、カバー部材１０内部に設置し、カバー部材１０中に浸透する液体（図示なし）と接触する。
内容物２０は備長炭、セラミックボール、ゲルマニウムを含む固体物より選択する。
本実施形態においては、内容物２０は備長炭とセラミックボールを混合する形態であるが、これに限定するものではない。
備長炭は塊状を呈し、セラミックボールはマイナスイオンを液体中に放出することができる。
磁石は遠赤外線を液体中に放出することができる。
本実施形態において、液体（図示なし）は水であるが、これに限定するものではない。
【００１０】
図１、図２に示すように、上記構造の組み合わせにより、本考案の一実施形態による洗濯ボールはカバー部材１０が衣服に接触、衝突し、衣服洗浄の作用を完成する。
すなわち洗剤の使用を不要とすることができるため、蛍光剤を残留させないという環境保護のニーズを達成することができる。
同時に、本考案の一実施形態による洗濯ボールは内部に収容する内容物２０（セラミックボール、磁石等）を利用し、液体（水等）中においてマイナスイオン、遠赤外線を放出し、汚れ、水分子を分解し、それらを細かくし、衣服に浸透しし易くすることができる。
しかも、柔らかいカバー部材１０は洗濯機に損壊を及ぼすことはないため、公知の洗濯ボールでは洗濯機に衝撃を与え易くその寿命を短縮してしまっていた問題を改善することができる。
【００１１】
上記したように、本考案の洗濯ボールは蛍光剤を残留させないという環境保護のニーズを達成することができ、公知の洗濯ボールでは洗濯機に衝撃を与え易くその寿命を短縮してしまっていた問題を改善することができる。
【図面の簡単な説明】
【００１２】
【図１】本考案の実施形態による洗濯ボールの立体外観概略図である。
【図２】本考案の実施形態により洗濯ボールにおいて、２種の内容物を含む状態を示す断面概略図である。
【符号の説明】
【００１３】
１０  カバー部材
１２  開口
１４  孔
２０  内容物
３０  ベルト
【図１】
0003147925.tif 000003
【図２】
0003147925.tif 000004
(57)【要約】      （修正有）【課題】レジ袋の要否の切換表示を付けた買い物バスケットを提供する。【解決手段】スーパーでレジ袋が不要な場合、買い物バスケットに不要の札を入れる必要もなく、又、レジ係も一目で判断出来るように、買い物バスケットの持ち手部分の間で、バスケットを重ねてもバスケット同士が重ならない部分があり、ここにレジ袋必要、不要の切換表示を設け、シール等で付着させて構成する。【選択図】図２
0003147921.tif 000002
【実用新案登録請求の範囲】
【請求項１】
バスケットの上部に，レジ袋の必要，不要の切換え表示を付けた，ス−パ−の買い物バスケット
【考案の詳細な説明】
【背景技術】
【００１】従来、ス−パ−でレジ袋が不要の場合，買い物バスケットに不要の札を入れていたが，そのつど面倒であったし，取り辛かったり，なかったりした．
【課題を解決する手段】
【００２】そこで買い物バスケットの持ち手部分の間に，バスケットを重ねてもバスケット同士が重ならない部分があり，ここにレジ袋必要，不要の切換え表示を設け，シ−ル等で付着させた．
【考案の効果】
【００３】よって本考案は，レジ袋の必要，不要の切換え表示を付ける事で，従来のような手間はなく，レジ係りも一目で判断出来る．
【考案を実施するための最良の形態】
【００４】本考案は図に示す通り，買い物バスケット２に，レジ袋必要，不要の切換え表示１を設け，シ−ル等で付着させた．
【図面の簡単な説明】
【００５】
【図１】拡大図
【図２】全体図
【符号の説明】
【００６】１  レジ袋必要，不要の切換え表示又はスイッチ
２  ス−パ−の買い物バスケット
【図１】
0003147921.tif 000003
【図２】
0003147921.tif 000004
(57)【要約】【課題】  身体洗い具について、色々の特徴を持つ素材を組み合わせ、一体化さすことで使い勝手良く、また、効率の良い洗い具を提供する。【解決手段】  二つの手袋とタオルを用い、背中洗い用として使用する該タオル１の両端部に穴を開け、身体洗い用として使用する該手袋の親指部を貫通させた状態で縫い付け一体構成した身体洗い具として解決した。【選択図】図１
0003147660.tif 000002
【実用新案登録請求の範囲】
【請求項１】
二つの手袋とタオルを用い、背中洗い用として使用する該タオルの両端部をそれぞれ絞るように折りまとめ、この部分に穴を開け、開けたところに身体洗い用として使用する二つの該手袋の各親指部分を貫通させた状態で縫い付け、一体構成としたことを特徴とする身体洗い具。
【考案の詳細な説明】
【技術分野】
【０００１】  本考案は、入浴時に使用する洗い具に関するものである。
【背景技術】
【０００２】  入浴時に使用する洗い具には、通常のタオル、タワシ、手袋、スポンジ系、化学合成繊維等種々揃っており、かつ、日進月歩の状況にある。
【考案の開示】
【考案が解決しようとする課題】
【０００３】  この日進月歩の状況にある洗い具について、個々には色々の特徴を持つこれらのものを組み合わせ、一体化さすことで使い勝手良く、また、効率の良い身体洗い具を提供する。
本考案は、以上のことを課題とする。
【課題を解決しようとするための手段】
【０００４】  本考案は、この課題に対し、二つの手袋とタオルを用い、背中洗い用として使用する該タオルの両端部をそれぞれ絞るように折りまとめ、この部分に穴を開け、この開けたところに身体洗い用として使用する該手袋の親指部分を貫通させた状態で縫い付け、一体構成として解決した。
【考案の効果】
【０００５】  本考案の一体構成された身体洗い具を使用するときは、まず両手に手袋をはめると、各親指は自然にタオル取り付け部の親指部に入り、タオルを引っ掛けた状態にセットされる。
この状態で使用し始めるが、効果説明は、まず背中を洗うところからはじめる。
石鹸等を塗って、泡だった状態のタオル部を背中に回すと肩口と腰当りに手袋部がきており、手を動かして洗い始めるとタオルは親指に引っ掛かった状態で上下動し、このとき力は親指に集中している、従って、他の指は開いたままで楽に洗うことが可能である。
この背中を洗っているときの手袋に対する力の係り様は、タオルを取り付けている周辺部と手首部分では、動作ごとに広がり等の動きはあるが、他の部分への引っ張り等の力はほとんど働かない、従って、手袋の補強等また、素材の変更は必要としない。
続いて、手、足等他の部分の洗いに入るが、手袋は装着したまま前面に回し、両手の指を使い、その柔らかい素材で包むが如く細かな部分まで洗うことができ、このとき併せて、タオル部は身体の部分部分で適宜マッサージ用としても使用することができる。
本考案の身体洗い具は、以上の作用、効果があるため、力の弱った高齢者等にも手袋、タオルを楽に使いこなすことができる。
【考案を実施するための最良の形態】
【０００６】  以下、本考案の実施の形態を説明する。
背中洗い用として使用するタオル１の一端２を絞るように折りまとめ、この部分４に穴６を開け、ここに身体洗い用として使用する手袋８の親指部１０を貫通させた状態で縫い付け、他端部３も同様に穴７を開け、ここに身体洗い用として使用するもう一つの手袋９の親指部１１を貫通させた状態で縫い付け、背中洗い用として使用するタオル１と、身体洗い用として使用する手袋８、９を一体化する。【０００７】  尚、本考案において、該タオル１と該手袋８、９の材質が大きく違う場合、例えば、該タオル１をマッサージ用と兼ねるため少し硬めの素材とし、該手袋８、９を柔らかい肌ざわりのやさしい素材を使用する場合は、該手袋８、９を裏、表のない素材で作り、利用時これを裏返して装着すると、該手袋８、９の全面が同一の肌ざわりとして使用することができる。
本考案は、以上の構成よりなっている。
本考案を使用するには、身体洗い用に使用する手袋８、９を装着して、背中洗い用に使用するタオル１とも石鹸等を塗り、両手を使い、該手袋８、９該タオル１で肌面をなぞりまた、擦り洗いする、次いで該タオル１を背面に回すと繋がった該手袋８、９は肩口と腰当りにきており、手を上下動さすと親指に引っかかっている状態の該タオル１も動き、身体の機能上丈夫な構造になっている親指での操作で楽に背中部を洗うことができる。
【図面の簡単な説明】
【０００８】
【図１】本考案の一部分解斜視図
【図２】本考案の背中洗いの使用状態を示す斜視図
【符号の説明】
【０００９】  １        タオル
２、３    タオル端部
４、５    折りまとめ部
６、７    穴
８、９    手袋
１０、１１  親指部
【図１】
0003147660.tif 000003
【図２】
0003147660.tif 000004
(57)【要約】【課題】  塗料缶の蓋を開けるときに、ドライバーやコインを使わずに刷毛に蓋開け具を取付けることにより、いつでも簡単に塗料缶の蓋を開けられるようにすること。【解決手段】  柄と刷毛部よりなる塗装用刷毛において、刷毛の柄の上部先端に、蓋開け具を回転軸により回動自在に取付け、柄の中間にフック付ストッパをスライド自在に取付けた、蓋開け具付塗装用刷毛を提供する。【選択図】図１
0003147658.tif 000002
【実用新案登録請求の範囲】
【請求項１】
柄と刷毛部よりなる塗装用刷毛において、刷毛の柄の上部先端に、蓋開け具を回転軸により回動自在に取付け、柄の中間にフック付ストッパをスライド自在に取付けた、蓋開け具付塗装用刷毛。
【考案の詳細な説明】
【技術分野】
【０００１】  本考案は、塗装用刷毛に関するものである。
【背景技術】
【０００２】  従来、塗料缶の蓋を開けるときには、ドライバーやコインを蓋の溝部に差し込んでこじって開けていた。
【考案の開示】
【考案が解決しようとする課題】
【０００３】  従来より、塗料缶の蓋を開けるときには、マイナスドライバーやコインを蓋の溝部に差し込んでこじって開けていたが、この状況は現在も変わっていない。
蓋を開けるときにいちいちマイナスドライバー等を探したりするのは面倒であり時間のロスでもある。
そこで、塗装用刷毛に缶の蓋開け具を取付けて、塗料缶の蓋を開けられるようにした、蓋開け具付の塗装用刷毛を提供する。
従来、塗装用刷毛に蓋開け具を取付けるという提案はなかった。
しかし、近似した提案としては登録実用新案第３０６２６７５号がある。これは、塗装用刷毛の先端にスクレーパーを取付けるというものである。スクレーパーは、塗装をする面の錆や異物を取り除く道具であり、本考案の主旨とは異なる。
本考案は、塗料缶の蓋を開けるための蓋開け具として取付けたものであり、これを塗装面の錆落しや不要物除去にも使用できるという利点もある。
登録実用新案第３０６２６７５号においては、固定的な取付け方法のため、スクレーパー部分が飛び出していて使用しにくい感があるが、本考案においては、使用しないときは柄の中に収納して置くので、違和感なく使用できる。
【課題を解決するための手段】
【０００４】  柄と刷毛部よりなる塗装用刷毛において、刷毛の柄の上部先端に、蓋開け具を回転軸により回動自在に取付け、柄の中間にフック付ストッパをスライド自在に取付けた、蓋開け具付塗装用刷毛である。
【考案の効果】
【０００５】  本考案は、塗装をするときに直接使用する塗装用刷毛に蓋開け具が付いているので、それを用いてすぐに塗料缶の蓋開けができる。
蓋開け具を使用しないときは、蓋開け具を回動させて柄の中に収納し、スライド式のストッパにより蓋開け具を確実に係止できる。また、ストッパに設けたフックにより、塗料の量に応じた深さにストッパの位置を調節して刷毛を塗料缶の淵に架けておくことができる。
蓋開け具は、塗料缶の蓋を開けるときだけではなく、塗装面の錆落しや不要物除去にも使用することができる。
【考案を実施するための最良の形態】
【０００６】  本考案の実施の形態を、図１及び図２により説明する。
柄（１ａ）と刷毛部（１ｂ）よりなる塗装用刷毛（１）において、柄（１ａ）の上部先端に、蓋開け具（２）を回転軸（３）により回動自在に取付ける。
柄（１ａ）の中間にフック付ストッパ（４）を柄（１ａ）にスライド自在に取付ける。【０００７】  一般的な塗装用刷毛（１）は、柄（１ａ）が木製の２枚合せの板よりなり、下部を開いてその間に刷毛部（１ｂ）を挟み込んで取付ける構造となっている。
従って、柄（１ａ）の２枚合せの板は上から下に向かってテーパー状に広くなっていく隙間があり、この隙間を利用してここに蓋開け具（２）を取付ける訳である。
柄（１ａ）の上端部の板の間に蓋開け具（２）を挟み込んで回転軸（３）により回動自在に取付ける。回転軸（３）は、鳩目あるいはビス、ナット等回動自在に取付けられるものであればよい。
蓋開け具（２）を使用するときは、蓋開け具（２）を回動させて外に取出して使用し、使用しないときは、蓋開け具（２）を柄（１ａ）の中に収納して、フック付ストッパ（４）をスライドして蓋開け具（２）を押える位置にもっていく。（図３）【０００８】  蓋開け具（２）は、塗料缶（５）の蓋（５ａ）をこじって開けなければならないので、かなりの力がかかる。従って剛性のある金属製の板とすることが望ましい。
図４に本考案を用いて塗料缶（５）の蓋（５ａ）を開ける状態の参考図を示す。【０００９】  柄（１ａ）は上部より下部に向かってテーパー状に広くなっていくので、フック付ストッパ（４）のストッパ（４ａ）は、ゴム材のような伸縮性のあるものとすることが望ましい。
ストッパ（４ａ）上にフック（４ｂ）を設けることにより、塗料缶（５）の塗料の量に応じた深さにフック付ストッパ（４）の位置を調整して、フック（４ｂ）を塗料缶（５）の淵に一時的に架けておくことができるので便利である。【００１０】  刷毛の中には、柄が２枚合せの板ではなく、１枚板のものがある。
その場合には蓋開け具を柄の中に収納できないので、柄の平面に板状の蓋開け具を回動自在に取付け、蓋開け具の先端がかかる位置に、同じく板状のストッパを設ける方法が考えられる。
【図面の簡単な説明】
【００１１】
【図１】本考案の正面図
【図２】本考案の右側面図
【図３】蓋開け具を柄に収納した状態を示す右側面図
【図４】本考案を用いて塗料缶の蓋を開ける状態を示す参考図
【符号の説明】
【００１２】１    刷毛
１ａ  柄
１ｂ  刷毛部
２    蓋開け具
３    回転軸
４    フック付ストッパ
４ａ  ストッパ
４ｂ  フック
５    塗料缶
５ａ  蓋
【図１】
0003147658.tif 000003
【図２】
0003147658.tif 000004
【図３】
0003147658.tif 000005
【図４】
0003147658.tif 000006